(57)【要約】【課題】釣糸ガイドの強度確保と軽量化とを両立させる。【解決手段】釣竿に取り付けられる取付脚部１と、該取付脚部１から立ち上がり、ガイドリングが装着されるリング装着孔４を有するフレーム本体部２，３とを備えた、釣糸ガイドのガイドフレームであって、少なくとも一部が中空部であり、該中空部は、複数の空洞孔が合流して一体となった合流部Ｓを有しており、フレーム本体部２，３は、リング装着孔４の周囲全周に位置してガイドリングを保持するリング保持部３を備え、リング保持部３の全体が中空部であり、リング装着孔４の壁面は、全周に亘って連続している。【選択図】図１
2020110124.tif 000002
【特許請求の範囲】
【請求項１】
釣竿に取り付けられる取付脚部と、該取付脚部から立ち上がり、ガイドリングが装着されるリング装着孔を有するフレーム本体部とを備えた、釣糸ガイドのガイドフレームであって、
少なくとも一部が中空部であり、該中空部は、複数の空洞孔が合流して一体となった合流部を有している、釣糸ガイドのガイドフレーム。
【請求項２】
フレーム本体部は、リング装着孔の周囲全周に位置してガイドリングを保持するリング保持部を備え、リング保持部の全体が中空部であり、リング装着孔の壁面は、全周に亘って連続している請求項１記載の釣糸ガイドのガイドフレーム。
【請求項３】
焼結体である請求項１又は２記載の釣糸ガイドのガイドフレーム。
【請求項４】
請求項１乃至３の何れかに記載のガイドフレームと、該ガイドフレームのリング装着孔に装着されたガイドリングとを備えている、釣糸ガイド。
【請求項５】
請求項４記載の釣糸ガイドを備えている、釣竿。
【請求項６】
請求項１記載のガイドフレームの製造方法であって、３Ｄプリンタにより製造する釣糸ガイドのガイドフレームの製造方法。
【発明の詳細な説明】
【技術分野】
【０００１】
本発明は、釣糸を案内するための釣糸ガイドにおけるガイドフレームと、釣糸ガイドと、釣竿と、ガイドフレームの製造方法に関する。
【背景技術】
【０００２】
下記特許文献１記載の釣糸ガイドのガイドフレームは、金属板を打ち抜くことによって形成されている。しかしながら、ガイドフレームが金属板を打ち抜いて形成されたものであるため、ガイドフレームの強度を確保しつつ軽量化を図ることには限界がある。一方、下記特許文献２の釣糸ガイドのガイドフレームは、合成樹脂から射出成形により形成されている。しかしながら、この場合においてもガイドフレームの強度を確保しつつ軽量化を図ることには限界がある。
【先行技術文献】
【特許文献】
【０００３】
【特許文献１】特開２００１−２３８５７７号公報
【特許文献２】特許第２９１６４００号公報
【発明の概要】
【発明が解決しようとする課題】
【０００４】
本発明は、釣糸ガイドの強度確保と軽量化とを両立させることを課題とする。
【課題を解決するための手段】
【０００５】
本発明に係る釣糸ガイドのガイドフレームは、釣竿に取り付けられる取付脚部と、該取付脚部から立ち上がり、ガイドリングが装着されるリング装着孔を有するフレーム本体部とを備えた、釣糸ガイドのガイドフレームであって、少なくとも一部が中空部であり、該中空部は、複数の空洞孔が合流して一体となった合流部を有している。
【０００６】
該構成のガイドフレームは、中空部を備えているため、強度を確保しつつ軽量化できる。そして、中空部が合流部を有していて、その合流部においては、中空部の断面形状が徐々に変化しながら、複数の空洞孔が合流して一つの空洞孔となっている。そのため、ガイドフレームの強度を容易に確保できる。尚、合流部は、一つの空洞孔が複数の空洞孔に分岐する分岐部でもある。
【０００７】
また、フレーム本体部は、リング装着孔の周囲全周に位置してガイドリングを保持するリング保持部を備え、リング保持部の全体が中空部であり、リング装着孔の壁面は、全周に亘って連続していることが好ましい。このようにリング保持部の全体が中空部であると、リング保持部を軽量化できる。また、リング装着孔の壁面が全周に亘って連続していると、リング装着孔の壁面が不連続部分を有している場合に比して、ガイドリングの外周面を全周に亘ってしっかりと保持できる。
【０００８】
また、ガイドフレームが焼結体であることが好ましい。焼結体とすることで、肉厚が変化するガイドフレームを容易に形成できる。
【０００９】
また、本発明に係る釣糸ガイドは、このようなガイドフレームと、該ガイドフレームのリング装着孔に装着されたガイドリングとを備えている。
【００１０】
また、本発明に係るガイドフレームの製造方法は、３Ｄプリンタによりガイドフレームを製造するものである。３Ｄプリンタにより、肉厚が変化する構成の中空部を容易に形成でき、強度と軽量化を両立させることができる。
【発明の効果】
【００１１】
以上のように、少なくとも一部が中空部であり、該中空部は、複数の空洞孔が合流して一体となった合流部を有していることで、ガイドフレームの強度を確保しつつ軽量化できる。
【図面の簡単な説明】
【００１２】
【図１】本発明の第一の実施形態における釣糸ガイドのガイドフレームを後側から見た斜視図。
【図２】同ガイドフレームを前側から見た斜視図。
【図３】同ガイドフレームの底面図。
【図４】同ガイドフレームの側面図。
【図５】同ガイドフレームを後側から前後方向に見た図。
【図６】図５のＡ−Ａ断面図。
【図７】図５のＢ−Ｂ断面図。
【図８】図５のＣ−Ｃ断面図。
【図９】図５のＤ−Ｄ断面図。
【図１０】図５のＥ−Ｅ断面図。
【図１１】図５のＦ−Ｆ断面図。
【図１２】図５のＧ−Ｇ断面図。
【図１３】図５のＨ−Ｈ断面図。
【図１４】本発明の第二の実施形態における釣糸ガイドのガイドフレームを前側から見た斜視図。
【図１５】同ガイドフレームの平面図。
【図１６】同ガイドフレームを後側から前後方向に見た図。
【図１７】同ガイドフレームの側面図。
【図１８】図１６のＪ−Ｊ断面図。
【図１９】図１６のＫ−Ｋ断面図。
【図２０】図１６のＬ−Ｌ断面図。
【図２１】図１６のＭ−Ｍ断面図。
【図２２】図１６のＮ−Ｎ断面図。
【図２３】図１６のＰ−Ｐ断面図。
【図２４】図１６のＱ−Ｑ断面図。
【図２５】図１６のＲ−Ｒ断面図。
【発明を実施するための形態】
【００１３】
以下、本発明の第一の実施形態に係る釣糸ガイドのガイドフレームについて図１〜図１３を参酌しつつ説明する。釣糸ガイドは、釣糸を直接案内するための図示しないガイドリングと、該ガイドリングを保持する共に釣竿の竿本体の外周面に取り付けられるガイドフレームとを備えている。尚、本実施形態においては、釣糸ガイドは、釣竿の竿本体の外周面に接着等により固定される固定ガイドであるが、釣竿の竿本体の外周面に対して移動可能な移動ガイドであってもよい。ガイドリングは、代表的には円形の環状であるが、楕円形や長円形等であってもよい。
【００１４】
＜全体構成＞
ガイドフレームは、釣竿に取り付けられる取付脚部１と、該取付脚部１から立ち上がり、ガイドリングが装着されるリング装着孔４を有するフレーム本体部とを備えている。フレーム本体部は、リング装着孔４の周囲全周に位置してガイドリングを保持する環状のリング保持部３を備えている。本実施形態では、フレーム本体部は、リング保持部３と取付脚部１との間に位置してリング保持部３と取付脚部１とを連結する支持脚部２を備えている。尚、以下の説明では、釣竿の中心線の方向を前後方向とし、竿先側を前側、竿尻側を後側とする。また、取付脚部１側を下側とし、フレーム本体部側を上側とする。即ち、釣竿の竿本体の中心線に近い方向を下側とし、竿本体から径方向外側に離れる方向を上側とする。そして、竿本体の周方向を左右方向とする共に幅方向と称することがある。尚、図３〜図５に、左右方向、前後方向及び上下方向をそれぞれ矢印Ｘ、Ｙ，Ｚで示している。ガイドフレームは複数の部材から構成されていてもよいが、本実施形態では一つの部材から構成されている。従って、取付脚部１とフレーム本体部は一つの部材からなり一体的に形成されたものである。ガイドフレームの材質は任意であって、金属製や合成樹脂製である。特に、焼結体であることが好ましく、焼結合金製とすることが好ましい。
【００１５】
＜取付脚部１＞
取付脚部１は、前後方向に延びている。本実施形態では、取付脚部１は、フレーム本体部に対して後側のみに延びた一本足の構成であるが、前後両側に延びた二本足の構成であってもよい。取付脚部１の下面は、竿本体の外周面に沿いやすいように、左右方向に沿って上側に向けて凹状に湾曲している。取付脚部１の上面は、後側に向けて徐々に下降しており、このように上面が後側に向けて下降していくことにより、取付脚部１の上下方向の寸法は、後側に向けて徐々に小さくなっている。取付脚部１の左右方向の寸法である幅は、後側に向けて徐々に狭くなっている。尚、取付脚部１は、竿本体の外周面に例えば巻糸により巻き付け固定されると共に接着固定される。
【００１６】
＜リング保持部３と支持脚部２＞
フレーム本体部は、取付脚部１の前端部から上側に向けて延びている。フレーム本体部は、取付脚部１の前端部から湾曲しつつ上側に向けて延びている。フレーム本体部は取付脚部１に対して略直角に立ち上がっていてもよいが、本実施形態では前側に傾斜しつつ立ち上がっている。従って、フレーム本体部は前側に傾斜している。
【００１７】
支持脚部２の下端部は取付脚部１の前端部と接続されている。支持脚部２は、一本足の構成であってもよいが、本実施形態では、左右に並んだ二本足の構成である。左右一対の支持脚部２は、互いに左右対称関係にある。左右の支持脚部２は、上側に向けて徐々に左右に開きつつ延びている。両支持脚部２間の離間距離は、上側に向けて徐々に大きくなっていて、左右の支持脚部２は、全体として略Ｖ字状である。左右の支持脚部２は、それぞれ取付脚部１の前端部に接続されている。左右の支持脚部２は、その下端部において、左右に離間していて、それぞれ独立して上側に延びている。但し、左右の支持脚部２は、その下端部において左右に離間せずに一体となっていてもよい。左右の支持脚部２の上端部はそれぞれリング保持部３の左右両側部に接続されている。左右の支持脚部２は、図５のように前後方向に沿って見たときに、取付脚部１からリング保持部３に向けて直線状に延びていて、左右の支持脚部２は、取付脚部１の前端部からリング保持部３に向けて、リング保持部３の接線方向に延びている。リング保持部３と左右両支持脚部２と取付脚部１によって囲まれた貫通孔５が形成されており、貫通孔５は前後に貫通している。
【００１８】
リング保持部３は、無端状であって環状である。本実施形態では円形のガイドリングを保持するため、リング装着孔４は円形であり、リング保持部３も円形の環状である。リング保持部３は、リング装着孔４の周囲全周に位置している。リング装着孔４の壁面は、リング保持部３の内周面であって、ガイドリングの外周面を保持するための保持面である。リング装着孔４の壁面は、全周に亘って連続していて、不連続部分を有していない。尚、リング装着孔４の壁面に凹凸が形成されていてもよく、例えば接着溜まりのための凹部が形成されていてもよい。リング保持部３の外周面の断面形状は略一定であってもよいが、本実施形態では、図６のように、リング保持部３の最上部における外周面の断面形状と最下部における外周面の断面形状が異なっている。リング保持部３の最上部においては、外周面の後部が前後方向に沿って大きく湾曲している一方、リング保持部３の最下部においては、外周面の前部が前後方向に沿って大きく湾曲している。このように、リング保持部３の断面形状は、最上部と最下部とで互いに異なっている。
【００１９】
リング保持部３をその周方向と直交する方向、即ち、リング装着孔４の径方向に切断したときの断面形状と、支持脚部２を水平面で切断したときの断面形状は、互いに異なっており、何れも非円形である。取付脚部１を前後方向と直交する方向に切断したときの断面形状は、リング保持部３の断面形状や支持脚部２の断面形状とは異なっている。
【００２０】
上述のようにガイドフレームは全体が一つの部材から構成されていて、従って、取付脚部１とフレーム本体部は一体的に形成されている。そして、本実施形態では、ガイドフレームの全体が中空状であり、ガイドフレームの全体が中空部である。中空部は、内部空間である空洞孔と、その空洞孔を包囲する外壁部とから構成される。ガイドフレームの空洞孔は、全体として一つであって、リング保持部３から取付脚部１まで連通した一つの空間を構成している。即ち、リング保持部３の全体、左右の支持脚部２の全体、及び、取付脚部１の全体が、それぞれ中空部であると共に、リング保持部３における空洞孔１３と、左右の支持脚部２における空洞孔１２と、取付脚部１における空洞孔１１は、互いに連通していて、全体として一つの内部空間を形成している。空洞孔は、リング保持部３から支持脚部２を介して取付脚部１まで連続している。ガイドフレームの空洞孔は、外壁部によって密封された空間である。
【００２１】
詳細には、取付脚部１の空洞孔１１は全体として一つであって、後端部から前端部にかけて徐々に左右方向と上下方向の二方向に拡大している。取付脚部１の空洞孔１１は、取付脚部１の前端部において、左右の支持脚部２のそれぞれの空洞孔１２とつながっている。従って、取付脚部１の空洞孔１１は、取付脚部１の前端部において左右に分岐して各支持脚部２の空洞孔１２と連通している。換言すれば、左右の支持脚部２の空洞孔１２は、取付脚部１の前端部において一つの取付脚部１の空洞孔１１に合流している。即ち、取付脚部１の前端部が合流部Ｓであり、その合流部Ｓにおいて、左右の支持脚部２の空洞孔１２が合流して一体となって取付脚部１の空洞孔１１となっている。そして、図１１及び図１２のように、取付脚部１の前端部から左右の支持脚部２にかけて、断面形状が大きく変化しており、中空率も大きく変化している。尚、中空率とは、断面全体の中に占める空洞部分の面積比率であって、断面形状における全体の断面の面積に対する空洞孔の断面の面積の比率である。
【００２２】
左右の支持脚部２の上端部は、それぞれリング保持部３の左右両側部に接続している。リング保持部３は、その全体が中空部であって、リング保持部３の空洞孔１３は、リング装着孔４の全周に亘って連続している。そして、リング保持部３の空洞孔１３と左右の支持脚部２の空洞孔１２とは互いに連通している。即ち、左側の支持脚部２の空洞孔１２は、左側の支持脚部２の上端部において、リング保持部３の空洞孔１３と連通しており、右側の支持脚部２の空洞孔１２は、右側の支持脚部２の上端部において、リング保持部３の空洞孔１３と連通している。リング保持部３の下部は、左右の支持脚部２の上端部同士をリング装着孔４の下側において左右に連結しており、リング保持部３の上部は、左右の支持脚部２の上端部同士をリング装着孔４の上側において左右に連結している。従って、左右の支持脚部２の上端部において、それぞれ支持脚部２の空洞孔１２とリング保持部３の上部における空洞孔１３とリング保持部３の下部における空洞孔１３とが合流している。即ち、左右の支持脚部２の上端部がそれぞれ合流部Ｓであって、各合流部Ｓにおいて、支持脚部２の空洞孔１２とリング保持部３の空洞孔１３とが合流して一体となっている。換言すれば、リング保持部３の上部における空洞孔１３は、左右の支持脚部２の上端部において、それぞれ左右の支持脚部２の空洞孔１２とリング保持部３の下部における空洞孔１３とに分岐している。そして、図８のように、左右の支持脚部２の上端部において断面形状が大きく変化しており、中空率も大きく変化している。
【００２３】
このように本実施形態では、取付脚部１の前端部と左右の支持脚部２の上端部という合計三つの合流部Ｓを有しており、各合流部Ｓにおいて外壁部の肉厚はほとんど変化せずに断面形状が変化して中空率が変化している。これにより、合流部Ｓにおける重量増加を抑制でき、ガイドフレームの強度を確保しつつ軽量化を図ることができる。また、リング保持部３の全体が中空部であって、リング装着孔４の壁面が全周に亘って連続しているので、リング保持部３によってガイドリングを強固に保持できる。
【００２４】
更に、リング保持部３と左右の支持脚部２との接続部分において断面形状が拡大して中空率が拡大しているので、重量増加を抑制しつつ接続部分の強度を容易に確保することができる。また、図９〜図１１のように、支持脚部２はその下端部において断面形状が拡大していて中空率が拡大しているので、重量増加を抑制しつつ、支持脚部２と取付脚部１との接続部分における強度を十分に確保できる。そして、取付脚部１は、上下方向に対して左右方向に広い偏平形状であるが、一つの空洞孔を有する中空形状であって肉厚が略一定であるので、重量増加を抑制しつつ十分な強度を確保できると共に竿本体に対する大きな取付面も確保できる。
【００２５】
次に、本発明の第二の実施形態におけるガイドフレームについて図１４〜図２５を参酌しつつ説明する。但し、第一の実施形態と同様の構成についてはその詳細な説明を省略する。尚、図１５〜図１７に、左右方向、前後方向及び上下方向をそれぞれ矢印Ｘ、Ｙ，Ｚで示している。本実施形態のガイドフレームは、支持脚部２を実質上有しない構成であって、フレーム本体部は、実質上、リング保持部３のみから構成されている。そして、リング保持部３の最下部が取付脚部１に接続されている。
【００２６】
取付脚部１は、リング保持部３に対して前後に延びており、二本足の構成である。ガイドフレームの前後の向きは任意であって何れの向きでも使用可能であるが、一方の取付脚部２０を前側とし、他方の取付脚部２１を後側として説明する。リング装着孔４の中心線は、第一の実施形態とは異なり、前傾しておらず、前後方向に沿っている。従って、リング保持部３は取付脚部１に対して全体として略直角に立ち上がっている。但し、図１４や図１８に示しているように、リング保持部３の最下部の前面は前側の取付脚部２０の上面から滑らかに湾曲しつつ立ち上がっており、リング保持部３の最下部の後面は、後側の取付脚部２１の上面に対して湾曲することなく略直角に立ち上がっている。
【００２７】
リング保持部３の後面から後側の取付脚部２１の上面にかけて、左右一対のガード壁２２が形成されている。左右一対のガード壁２２は、リング保持部３の後面下部の両側部からそれぞれ後側に向けて延びている。左右一対のガード壁２２は、図１６のように後側から見たときに、上側に向けて徐々に互いの離間距離が大きくなっていて、略Ｖ字状に形成されている。ガード壁２２の上面は、図１７のように後側に向けて徐々に下降している。
【００２８】
本実施形態のガイドフレームも一つの部材から構成されていて、取付脚部１とリング保持部３は一つの部材として一体的に形成されている。また、ガイドフレームの全体が中空部である。空洞孔は、全体として一つであって、リング保持部３から取付脚部１まで連通した一つの内部空間を構成している。詳細には、図１８及び図２４のように、前後の取付脚部２０，２１の空洞孔３０，３１は全体として一つであって、前後方向に延びている。リング保持部３の空洞孔１３は、環状であってリング装着孔４を周回していてリング装着孔４の全周に亘って連続している。そして、前後の取付脚部２０，２１の前後方向の中央部において、取付脚部２０，２１の空洞孔３０，３１は、リング保持部３の空洞孔１３とつながっている。従って、リング保持部３の最下部は、前側の取付脚部２０の空洞孔３０と、後側の取付脚部２１の空洞孔３１と、リング保持部３の空洞孔１３とが合流して一つになる合流部Ｓである。
【００２９】
また、図１９〜図２４のように、左右一対のガード壁２２もそれぞれ中空部である。左右一対のガード壁２２の空洞孔３２は、それぞれ前端部においてリング保持部３の空洞孔１３とつながっている。左右一対のガード壁２２の前端部は、それぞれガード壁２２の空洞孔３２とリング保持部３の空洞孔１３とが合流する合流部Ｓである。また、図２３のように、左右一対のガード壁２２の空洞孔３２は、それぞれの下端部において取付脚部２０，２１の空洞孔３０，３１とつながっている。従って、左右一対のガード壁２２の下端部は、左右のガード壁２２の空洞孔３２と取付脚部２０，２１の空洞孔３０，３１とが合流する合流部Ｓである。ガード壁２２を前後左右方向に沿った水平面で切断したときの断面形状は、図１９〜図２４のように、上側から下側に向けて変化しており、空洞孔３２の断面形状も変化している。
【００３０】
本実施形態におけるガイドフレームも合流部Ｓを有しており、合流部Ｓにおいて外壁部の肉厚はほとんど変化せずに断面形状が変化し、中空率が変化している。そのため、合流部Ｓにおける重量増加を抑制でき、ガイドフレームの強度を確保しつつ軽量化を図ることができる。
【００３１】
＜製造方法＞
第一及び第二の実施形態におけるガイドフレームは何れも３Ｄプリンタによって製造することができる。３Ｄプリンタの造形方式は種々であってよい。例えば、金属粉末やナイロン等の樹脂粉末を焼結させる粉末焼結積層造形方式、紫外線硬化型の樹脂に紫外線を照射して硬化させる光造形方式等があり、インクジェット方式や熱溶解積層方式等もある。
【００３２】
第一の実施形態におけるガイドフレームでは、例えば、水平方向に切断したときの断面形状を順次上下方向に積層していくことで中空状のガイドフレームを形成できる。例えば、図１２のような断面形状から順次、図１１の断面形状、図１０の断面形状、図９の断面形状、図８の断面形状、図７の断面形状というように、各断面形状の薄肉部を積層していくことで中空状のガイドフレームを形成できる。同様に、第二の実施形態におけるガイドフレームも、図２４の断面形状、図２３の断面形状、図２２の断面形状、図２１の断面形状、図２０の断面形状、図１９の断面形状というように、各断面形状の薄肉部を積層していくことで中空状のガイドフレームを形成できる。尚、焼結粉末の残部が空洞孔に生じる場合には、空洞孔からガイドフレームの外部に粉末の残部を排出するための排出孔を、ガイドフレームの外壁部に貫通形成してもよい。
【００３３】
尚、上記実施形態ではガイドフレームの全体が中空部であったが、ガイドフレームの一部のみが中空部で他の部分が中実部であってもよい。ガイドフレームの一部のみが中空部である場合においても、上述したようにガイドフレームの全体を３Ｄプリンタで製造することができる。
【符号の説明】
【００３４】
１    取付脚部
２    支持脚部（フレーム本体部）
３    リング保持部（フレーム本体部）
４    リング装着孔
５    貫通孔
１１    取付脚部の空洞孔
１２    支持脚部の空洞孔
１３    リング保持部の空洞孔
２０    前側の取付脚部
２１    後側の取付脚部
２２    ガード壁
３０    前側の取付脚部の空洞孔
３１    後側の取付脚部の空洞孔
３２    ガード壁の空洞孔
Ｓ    合流部
【図１】
2020110124.tif 000003
【図２】
2020110124.tif 000004
【図３】
2020110124.tif 000005
【図４】
2020110124.tif 000006
【図５】
2020110124.tif 000007
【図６】
2020110124.tif 000008
【図７】
2020110124.tif 000009
【図８】
2020110124.tif 000010
【図９】
2020110124.tif 000011
【図１０】
2020110124.tif 000012
【図１１】
2020110124.tif 000013
【図１２】
2020110124.tif 000014
【図１３】
2020110124.tif 000015
【図１４】
2020110124.tif 000016
【図１５】
2020110124.tif 000017
【図１６】
2020110124.tif 000018
【図１７】
2020110124.tif 000019
【図１８】
2020110124.tif 000020
【図１９】
2020110124.tif 000021
【図２０】
2020110124.tif 000022
【図２１】
2020110124.tif 000023
【図２２】
2020110124.tif 000024
【図２３】
2020110124.tif 000025
【図２４】
2020110124.tif 000026
【図２５】
2020110124.tif 000027